(57)【要約】【課題】コードを収納できる電子装置を提供する。【解決手段】電子装置１は、表示面を有するスマートフォン５を保持する保持機構１０を備えている。保持機構１０は、装置本体２０に突没スライド自在に支持されるスライド部１１と、スライド部１１に回転自在に支持されてスマートフォン５を保持する保持部１２と、を備えている。この保持部１２には、コード７を収納するコード収納部６が設けられていることを特徴とする。【選択図】図２
2018207450.tif 000002
【特許請求の範囲】
【請求項１】
機器を保持する保持機構を備えた電子装置であって、
前記保持機構は、
当該電子装置の装置本体に突没スライド自在に支持されるスライド部と、
前記スライド部に回転自在に支持され、前記機器を保持する保持部と、を備え、
前記保持部には、前記機器に接続するコードを収納するコード収納部が設けられていることを特徴とする電子装置。
【請求項２】
前記保持部が、前記機器の背面に配置されることを特徴とする請求項１に記載の電子装置。
【請求項３】
前記コード収納部に収納されたコードが、前記保持部の背面から引き出されることを特徴とする請求項１又は２に記載の電子装置。
【請求項４】
前記保持部の背面において、当該保持部の回転軸方向の一方の端部から前記コードが引き出されることを特徴とする請求項３に記載の電子装置。
【請求項５】
前記保持部の背面において、前記スライド部からの距離が離れた端部から前記コードが引き出されることを特徴とする請求項３に記載の電子装置。
【請求項６】
前記保持部が、基部と、前記基部に回動自在に取り付けられた前記機器を保持する保持部本体と、を備え、
前記コード収納部が、前記基部に設けられていることを特徴とする請求項１〜５何れか１項に記載の電子装置。
【請求項７】
前記コード収納部は、前記保持部に着脱自在に設けられていることを特徴とする請求項１〜６何れか１項に記載の電子装置。
【請求項８】
前記コード収納部は、前記コードを収納するケースを有し、
前記ケースが、前記保持部に着脱自在に設けられていることを特徴とする請求項７に記載の電子装置。
【請求項９】
前記コード収納部は、一端が固定された伸縮自在な弾性部材と、前記弾性部材の他端に回転自在に設けられ、前記コードが掛けられる滑車と、を有することを特徴とする請求項１〜８何れか１項に記載の電子装置。
【請求項１０】
前記機器は、携帯機器であることを特徴とする請求項１〜９何れか１項に記載の電子装置。
【請求項１１】
前記装置本体は、車両に搭載されることを特徴とする請求項１〜９何れか１項に記載の電子装置。
【発明の詳細な説明】
【技術分野】
【０００１】
本発明は、電子装置に関する。
【背景技術】
【０００２】
従来、スマートフォンやタブレット端末等といった表示面を有する機器の保持機構を備えた保持装置が知られている（例えば、特許文献１参照）。この特許文献１に記載の保持装置は、取付ベースに回動自在に支持されたアーム部の先端部に、板状機器の保持機構が回動自在に支持された構成を有している。この保持装置は、例えば車両の運転席等に取付ベースが設置されて使用される。そして、その使用時には、アーム部や、その先端部の保持機構の向きが、使用者の所望の向きに適宜に調節されることとなっている。
【先行技術文献】
【特許文献】
【０００３】
【特許文献１】特開２０１３−２５６２４０号公報
【発明の概要】
【発明が解決しようとする課題】
【０００４】
ここで、特許文献１に記載の保持装置は、機器を保持するだけのものであり、電源が供給されておらず、有線で通信が接続されていない。このため、電源供給や通信のためのコードを別途用意しなければならない。
【０００５】
したがって、本発明の課題は、電源供給や通信のためのコードを接続したい時にすぐに接続することができる電子装置を提供すること等が一例として挙げられる。
【課題を解決するための手段】
【０００６】
上述した課題を解決するためになされた請求項１記載の電子装置は、機器を保持する保持機構を備えた電子装置であって、前記保持機構は、当該電子装置の装置本体に突没スライド自在に支持されるスライド部と、前記スライド部に回転自在に支持され、前記機器を保持する保持部と、を備え、前記保持部には、前記機器に接続するコードを収納するコード収納部が設けられていることを特徴とする。
【図面の簡単な説明】
【０００７】
【図１】本発明の実施例に係る電子装置を示す正面図である。
【図２】図１に示されている電子装置にスマートフォンを保持させた状態を示す斜視図である。
【図３】図１に示されている電子装置の分解斜視図である。
【図４】図１〜図３に示されている電子装置にスマートフォンを保持させるための一例の手順を示す模式図である。
【図５】図４のＳ１２に示す電子装置の部分拡大図である。
【図６】図５からカバーを取り外した状態を示す部分拡大図である。
【図７】図６に示すコード収納装置の分解斜視図である。
【図８】図６に示すコード収納装置の底面図である。
【図９】図７に示すコード収納装置を構成する滑車支持部及び滑車の分解斜視図である。
【発明を実施するための形態】
【０００８】
以下、本発明の一実施形態にかかる電子装置を説明する。電子装置は、機器を保持する保持機構を備えた電子装置であって、前記保持機構は、当該電子装置の装置本体に突没スライド自在に支持されるスライド部と、前記スライド部に回転自在に支持され、前記機器を保持する保持部と、を備え、前記保持部には、前記機器に接続するコードを収納するコード収納部が設けられている。
【０００９】
これにより、電源供給や通信のためのコードを接続したい時にすぐに接続できる。また、意匠性を確保しやすい。
【００１０】
また、前記保持部が、前記機器の背面に配置されていてもよい。これにより、機器の背面に配置された保持部からコードを引き出すことができ、コードを機器に接続しやすい。
【００１１】
また、前記コード収納部に収納されたコードが、前記保持部の背面から引き出されてもよい。これにより、保持部の背面からコードを引き出すことができ、コードを機器に接続しやすい。
【００１２】
また、前記保持部の背面において、当該保持部の回転軸方向の一方の端部から前記コードが引き出されてもよいし、前記保持部の背面において、前記スライド部からの距離が離れた端部から前記コードが引き出されてもよい。これにより、スライド部に干渉せずにコードを引き出すことができる。また、コードが邪魔になりにくい。
【００１３】
また、前記保持部が、基部と、前記基部に回動自在に取り付けられた前記機器を保持する保持部本体と、を備え、前記コード収納部が、前記基部に設けられてもよい。これにより、コード収納部が保持部本体と共に回動することがないので、コード収納部の構成を簡単にできる。
【００１４】
また、前記コード収納部は、前記保持部に着脱自在に設けられてもよい。これにより、コード収納部を保持部から取り外すことにより、コードを電源等から切り離すことができる。
【００１５】
また、前記コード収納部は、前記コードを収納するケースを有し、前記ケースが、前記保持部に着脱自在に設けられてもよい。これにより、簡単な構成でコード収納部を保持部から着脱自在に設けることができる。
【００１６】
また、前記コード収納部は、一端が固定された伸縮自在な弾性部材と、前記弾性部材の他端に回転自在に設けられ、前記コードが掛けられる滑車と、を有していてもよい。これにより、簡単な構成でコードを引出した後、弾性部材の復元力により自動的に引込むことができる。
【００１７】
また、機器は、携帯機器であってもよい。なお、ここで、携帯機器とは、使用者によって携帯される電子機器であり、例えば、スマートフォン、タブレット端末、ゲーム機器などが含まれる。
【００１８】
また、保持装置は、車両に搭載されるものであってもよい。
【実施例】
【００１９】
以下、本発明の実施例について図を参照して具体的に説明する。本実施例の電子装置は、車載機器であって、車両の運転席におけるインストルメント・パネルに搭載されて使用される。また、本実施例の電子装置は、機器として、携帯機器の一例であるスマートフォンを保持する。
【００２０】
図１は、本発明の実施例に係る電子装置を示す正面図であり、図２は、図１に示されている電子装置にスマートフォンを保持させた状態を示す斜視図であり、図３は、図１に示されている電子装置の分解斜視図である。
【００２１】
本実施例の電子装置１は、スマートフォン５の保持機構１０と、インストルメント・パネルに搭載される矩形箱状の電子装置本体としての装置本体２０と、を備えている。
【００２２】
保持機構１０は、装置本体２０に突没自在に保持される。また、保持機構１０は、図２に示すように、装置本体２０に、突没スライド自在に支持されるスライド部１１と、このスライド部１１に軸支されてスマートフォン５を保持する保持部１２と、を備えている。保持機構１０は、スマートフォン５を保持させる際には、装置本体２０から図３に示されている突没方向Ｄ１１における突出方向Ｄ１１１にスライド部１１が引き出され、保持部１２が図２に示されている回動方向Ｄ１２における起立方向Ｄ１２１に立てられる。そして、この立てられた保持部１２にスマートフォン５を保持させるように構成されている。
【００２３】
保持部１２は、図４のＳ１３に示すように、基部１２１と、保持部本体としてのチャッキング部１２２と、を有している。基部１２１は、回動方向Ｄ１２に回転できるようにスライド部１１に軸支されている。チャッキング部１２２は、図４のＳ１５に示すように、突没方向Ｄ１１に沿った回転軸１２２Ａを中心とした回動方向Ｄ１４に回動できるように、基部１２１に取り付けられている。チャッキング部１２２は、保持部１２が起立方向Ｄ１２１に立てられた状態（以下、保持状態）において、基部１２１よりも突出方向Ｄ１１１側（正面側）に位置するように基部１２１に取り付けられている。上記基部１２１には、スマートフォン５に電源を供給するためのコード７を収納する後述するコード収納部６が取り付けられている。
【００２４】
装置本体２０は、図３に示すように、矩形箱状の装置本体２０における上壁と一対の側壁とをなす上シャーシ２１と、下壁をなす下シャーシ２２と、を備えている。上述の保持機構１０のスライド部１１は、上シャーシ２１の上壁に突没スライド自在に支持されている。下シャーシ２２には、矩形箱状の装置本体２０における背面側の一端辺に、この装置本体２０における背面壁をなす長方形状の背面基板２２１が立設されている。この背面基板２２１には、外部機器との各種接続コネクタや、スマートフォン５との間で、例えばブルートゥース（登録商標）規格等に則った短距離通信を行うためのアンテナ等が搭載されている。また、下シャーシ２２の内面には、背面基板２２１と電気的に接続された内面基板２２２が取り付けられている。
【００２５】
また、装置本体２０は、装置本体２０における正面壁をなしてユーザインタフェースの役割を担う長方形板状の着脱可能なフロントパネル部２３と、このフロントパネル部２３を着脱自在、かつ、回動自在に保持するパネル部２４と、を備えている。パネル部２４は、上シャーシ２１及び下シャーシ２２に固定される。このパネル部２４は、上シャーシ２１に支持される保持機構１０と干渉しないように切欠きが設けられた形状に形成されている。フロントパネル部２３の長手方向の両端には、回動軸をなす軸突起２３１が設けられ、これら一対の軸突起２３１が、パネル部２４における一対の保持アーム２４１に、着脱自在かつ回動自在に保持される。
【００２６】
本実施例の電子装置１では、上シャーシ２１に支持される保持機構１０と、パネル部２４と、のそれぞれが、下シャーシ２２の内面基板２２２に、ＦＦＣ(Flexible Flat Cable)２２３で電気的に接続されている。本実施例では、図２に示されているように保持されたスマートフォン５に対するタッチ操作や、フロントパネル部２３に対するボタン操作により、例えばスマートフォン５の画面上への地図情報の表示や、車載オーディオ機器からの音楽の再生等を行うことができる。また、保持したスマートフォン５に対する充電を、保持機構１０と内面基板２２２とを繋ぐＦＰＣ(Flexible Printed Circuits)２２４を介して行うこともできる。
【００２７】
以上に説明した電子装置１には、次のような手順によってスマートフォン５を保持させる。
【００２８】
図４は、図１〜図３に示されている電子装置にスマートフォンを保持させるための一例の手順を示す模式図である。尚、この図４では、図を見易くするために、装置本体２０については、上シャーシ２１のみが示されている。以下に説明する手順は、使用者の手作業によって行われる。
【００２９】
まず、ステップＳ１１及びステップＳ１２において、装置本体２０から突出方向Ｄ１１１に保持機構１０が引き出される。このとき、本実施例では、フロントパネル部２３は、保持機構１０の動きの邪魔とならないように、図３に示されている軸突起２３１を回動中心として回動されて前方に倒されるか、パネル部２４から取り外される。
【００３０】
続くステップＳ１３では、保持機構１０において、保持部１２がスライド部１１に対して起立方向Ｄ１２１に立てられる。本実施例では、このステップＳ１３に示す保持状態では、チャッキング部１２２は、１本の保持爪１２３が上部側に位置し、２本の保持爪１２３が下部側に位置する姿勢となっている。また、チャッキング部１２２では、上部側となる１本の保持爪１２３が、下部側となる２本の保持爪１２３に向かってバネ付勢されている。
【００３１】
ステップＳ１４では、このチャッキング部１２２におけるバネ付勢に抗して上部側の保持爪１２３が上方向Ｄ１３１に引き上げられる。
【００３２】
そして、ステップＳ１５において、上記のように引き上げられた上部側の保持爪１２３と、下部側の保持爪１２３と、の間に、スマートフォン５が、その長手方向が水平方向（＝保持部１２の回転軸方向）を向く横置き状態で配置される。使用者が上部側の保持爪１２３を離すと、上記のバネ付勢により上部側の保持爪１２３が下方向Ｄ１３２に動く。これにより、上部側の保持爪１２３と、下部側の保持爪１２３と、でスマートフォン５が挟持される。
【００３３】
ここで、本実施例では、保持部１２において、チャッキング部１２２が回動軸１２２Ａを中心とした回動方向Ｄ１４に回動自在に取り付けられている。回動軸１２２Ａは、スマートフォン5の表示面の面直方向に沿っている。上記のようにステップＳ１５の段階では、スマートフォン５は横置き状態で保持されている。使用者が、このスマートフォン５を、その長手方向が鉛直方向を向く縦置き状態にして表示画面を見たいと考えた場合、次のステップＳ１６によって、スマートフォン５を縦置き状態とすることができる。即ち、ステップＳ１６では、スマートフォン５ごと、チャッキング部１２２が、回動軸１２２Ａを中心として図中の時計回りに９０°回動される。この回動によりスマートフォン５を縦置き状態となる。また、この後、使用者が、スマートフォン５を横置き状態にして表示画面を見たいと考えた場合には、チャッキング部１２２が図中の反時計回りに９０°戻されて、スマートフォン５が横置き状態とされる。
【００３４】
また、本実施例では、このようにしてスマートフォン５の保持を行なった後、フロントパネル部２３が戻されて、例えば図２に示されているような状態となる。
【００３５】
次に、上述した基部１２１に取り付けられるコード収納部６について、図５〜図９を参照して説明する。コード収納部６は、コード７を引出、引込自在に収納する装置である。コード７の一端は、図６などに示すように、基部１２１に設けた端子Ｔ１に接続されている。コード７の他端は、スマートフォン５に接続するための例えばマイクロＵＳＢなどの端子Ｔ３が設けられている。上記コード収納部６は、図７に示すように、ケース３０と、２つの第１、第２コード支持部４０１、４０２と、滑車５０と、を備えている。
【００３６】
上記ケース３０は、上述したコード７、第１、第２コード支持部４０１、４０２及び滑車５０を収納するケースである。ケース３０は、合成樹脂から構成され、ケース本体３１と、ケース本体３１の背面側の開口を覆うカバー３２と、を有している。
【００３７】
ケース本体３１は、底壁３１Ａと、底壁３１Ａの周縁から立設した側壁３１Ｂ、規制壁３１Ｃと、底壁３１Ａから立設した第１、第２バネ固定壁３１Ｄ、３１Ｅ、第１、第２仕切り壁３１Ｆ、３１Ｇ、コード固定壁３１Ｈと、を有している。底壁３１Ａは、第１底壁部３１Ａ１と、第２底壁部３１Ａ２と、有している。第１底壁部３１Ａ１は、後述する第１コード支持部４０１を構成するバネ４１の伸縮方向（以下、第１伸縮方向Ｄ２１）に沿って長尺の略矩形状に形成されている。
【００３８】
第２底壁部３１Ａ２は、後述する第２コード支持部４０２を構成するバネ４１の伸縮方向（以下、第２伸縮方向Ｄ２２）に沿って長尺の略矩形状に形成されている。第１伸縮方向Ｄ２１及び第２伸縮方向Ｄ２２が交差する（本実施例では直交する）ように、第１底壁部３１Ａ１の第１伸縮方向Ｄ２１の一方側Ｄ２１１の端部と、第２底壁部３１Ａ２の第２伸縮方向Ｄ２２の一方側Ｄ２２１の端部と、は連なって設けられる。これにより、底壁３１Ａは、上面視略Ｌ字状に形成されている。
【００３９】
第１、第２底壁部３１Ａ１、３１Ａ２には、図８に示すように、後述する第１、第２コード支持部４０１、４０２を構成するバネ４１の伸縮をガイドする第１、第２ガイド溝Ｇｒ１、Ｇｒ２が形成されている。第１、第２ガイド溝Ｇｒ１、Ｇｒ２はそれぞれ、第１伸縮方向Ｄ２１、第２伸縮方向Ｄ２２に沿って長尺に形成されている。
【００４０】
側壁３１Ｂは、図７に示すように、第１〜第６側壁部３１Ｂ１〜３１Ｂ６を有している。第１側壁部３１Ｂ１は、第１底壁部３１Ａ１の第２伸縮方向Ｄ２２の他方側Ｄ２２２の端部から立設している。第２側壁部３１Ｂ２は、第１底壁部３１Ａ１の第２伸縮方向Ｄ２２の一方側Ｄ２２１の端部から立設している。第３側壁部３１Ｂ３は、第１底壁部３１Ａ１の第１伸縮方向Ｄ２１の他方側Ｄ２１２の端部から立設している。第４側壁部３１Ｂ４は、第２底壁部３１Ａ２の第１伸縮方向Ｄ２１の他方側Ｄ２１２の端部から立設している。第５側壁部３１Ｂ５は、第２底壁部３１Ａ２の第１伸縮方向Ｄ２１の一方側Ｄ２１１の端部から立設している。第６側壁部３１Ｂ６は、第２底壁部３１Ａ２の第２伸縮方向Ｄ２２の他方側Ｄ２２２の端部から立設している。
【００４１】
上記第１側壁部３１Ｂ１には、コード７をケース本体３１内に引き込む引込スリットＳＬ１が形成されている。引込スリットＳＬ１は、第１側壁部３１Ｂ１の第１伸縮方向Ｄ２１の一方側Ｄ２１１寄りに形成されている。第５側壁部３１Ｂ５は、第６側壁部３１Ｂ６から第２伸縮方向Ｄ２２の一方側Ｄ２２１の途中位置まで延在し、途中位置から第２伸縮方向Ｄ２２の一方側Ｄ２２１には形成されていない。
【００４２】
また、側壁３１Ｂの外面には、後述するカバー３２を係止するための係止突起３１Ｂ７が突設されている。係止突起３１Ｂ７は、底壁３１Ａに近づくに従って高くなる傾斜が設けられている。本実施例では、係止突起３１Ｂ７は、第１〜第５側壁部３１Ｂ１〜３１Ｂ５にそれぞれ形成されている。
【００４３】
規制壁３１Ｃは、第２底壁部３１Ａ２の第１伸縮方向Ｄ２１の一方側Ｄ２１１の端部から立設されている。規制壁３１Ｃは、第５側壁部３１Ｂ５よりも第２伸縮方向Ｄ２１の一方側Ｄ２２１から立設され、第５側壁部３１Ｂ５よりも低く形成されている。
【００４４】
第１バネ固定壁３１Ｄは、第１コード支持部４０１のバネ４１の一端が固定される。第１バネ固定壁３１Ｄは、第１伸縮方向Ｄ２１に直交するように設けられている。第２バネ固定壁３１Ｅは、第２コード支持部４０２のバネ４１の一端が固定される。第２バネ固定壁３１Ｅは、第２伸縮方向Ｄ２２に直交するように設けられている。
【００４５】
一対の第１仕切り壁３１Ｆ及び一対の第２仕切り壁３１Ｇは、バネ４１とコード７とを仕切る。一対の第１仕切り壁３１Ｆは、第１バネ固定壁３１Ｄから第１伸縮方向Ｄ２１の他方側Ｄ２１２に向かって延在して形成され、第２伸縮方向Ｄ２２に対向している。一対の第２仕切り壁３１Ｇは、第２バネ固定壁３１Ｅから第２伸縮方向Ｄ２２の他方側Ｄ２２２に向かって延在して形成され、第１伸縮方向Ｄ２１に対向している。本実例では、一対の第２仕切り壁３１Ｇのうち第１伸縮方向Ｄ２１の一方側Ｄ２１１と、第５側壁部３１Ｂ５との間の隙間がコード７をケース３０外に引き出す引出口ＯＬとなる。
【００４６】
一対のコード固定壁３１Ｈは、コード７が長さ方向に動かないように固定するための壁である。一対のコード固定壁３１Ｈは、第１側壁部３１Ｂ１と第１仕切り壁３１Ｆとの間に、第１伸縮方向Ｄ２１に並べて設けられている。一対のコード固定壁３１Ｈにはそれぞれ、固定スリットＳＬ２が形成され、固定スリットＳＬ２内にコード７が圧入されている。コード７を固定スリットＳＬ２に挿入することにより、コード７が長さ方向に動かないようにしている。一対のコード固定壁３１Ｈにそれぞれ設けた固定スリットＳＬ２は、第２伸縮方向Ｄ２２にずれた位置に設けられている。これにより、より強固にコード７が動かないようにすることができる。
【００４７】
第１、第２コード支持部４０１、４０２は、ほぼ同一の構成である。第１、第２コード支持部４０１、４０２は、弾性部材としてのバネ４１と、滑車支持部４２と、第１滑車としての滑車４３と、を有している。バネ４１は、コイルバネから構成され、伸縮方向Ｄ２１、Ｄ２２の一方側Ｄ２１１、Ｄ２２１の端部が第１、第２バネ固定壁３１Ｄ、３１Ｅに固定されている。コード７の引出口ＯＬに近い第２コード支持部４０１のバネ４１の方が、第１コード支持部４０２のバネ４１よりも弾性力が弱いものが用いられている。
【００４８】
滑車支持部４２は、図９に示すように、固定部４２１と、鍔部４２２と、軸支部４２３と、が伸縮方向Ｄ２１、Ｄ２２に沿って並べて設けられている。固定部４２１は、棒状に形成され、バネ４１の伸縮方向Ｄ２１、Ｄ２２の他方側Ｄ２１２、Ｄ２２２に挿入されて固定される。
【００４９】
鍔部４２２は、固定部４２１の伸縮方向Ｄ２１、Ｄ２２の他方側Ｄ２１２、Ｄ２２２に形成されている。鍔部４２２には、上述した第１、第２ガイド溝Ｇｒ１、Ｇｒ２、後述するカバー３２に形成された第３、第４ガイド溝Ｇｒ３、Ｇｒ４に挿入されるガイド突起４２２Ａが突設されている。ガイド突起４２２Ａが、ガイド溝Ｇｒ１〜Ｇｒ４に挿入することによって、バネ４１がガイド溝Ｇｒ１〜Ｇｒ４の長手方向に沿って伸縮する。軸支部４２３は、鍔部４２２の伸縮方向Ｄ２１、Ｄ２２の他方側Ｄ２１２、Ｄ２２２に形成されている。軸支部４２３は、滑車４３の回転軸４３Ａが挿入される挿入部（図示せず）が形成されていて、滑車４３を回転自在に支持する。
【００５０】
滑車４３は、回転軸４３Ａが底壁３１Ａと垂直になるように配置されている。また、滑車４３は、回転軸４３Ａを中心に回転自在に軸支部４２３に支持される。この滑車４３には、コード７が掛けられている。また、滑車４３には、上述した第１〜第４ガイド溝Ｇｒ１〜Ｇｒ４に挿入されるガイド突起４３Ｂが突設されている。
【００５１】
第２滑車としての滑車５０は、第１バネ固定壁３１Ｄと、一対の第２仕切り壁３１Ｇのうち第１伸縮方向Ｄ２１の他方側Ｄ２１２と、の間に設けられている。滑車５０は、第１コード支持部３０１の滑車４３と第２コード支持部４０２の滑車４３との間のコード７の曲げ部分が掛けられる。滑車５０は、滑車４３の回転軸４３Ａと平行な回転軸を中心に回転自在にケース３０に軸支されている。
【００５２】
カバー３２は、ケース本体３１の開口を覆う。カバー３２は、図７に示すように、上壁３２Ａと、上壁３２Ａの周縁から立設した側壁３２Ｂと、緊急時にコード収納部６を保持部１２から取り外すための取り外し部３２Ｃと、コード抑え部３２Ｄと、を有している。
【００５３】
上壁３２Ａは、第１上壁部３２Ａ１と、第２上壁部３２Ａ２と、を有している。第１上壁部３２Ａ１は、第１底壁部３１Ａ１と対向して設けられ、第１伸縮方向Ｄ２１に沿って長尺に形成されている。第２上壁部３２Ａ２は、第２底壁部３１Ａ２と対向して設けられ、第２伸縮方向Ｄ２２に沿って長尺に形成されている。第１伸縮方向Ｄ２１及び第２伸縮方向Ｄ２２が交差する（本実施例では直交する）ように、第１上壁部３２Ａ１の第１伸縮方向Ｄ２１の一方側Ｄ２１１の端部と、第２上壁部３２Ａ２の第２伸縮方向Ｄ２２の一方側Ｄ２２１の端部と、は連なって設けられる。これにより、上壁３２Ａは、上面視略Ｌ字状に形成されている。
【００５４】
第１、第２上壁部３２Ａ１、３２Ａ２には、第１、第２コード支持部４０１、４０２を構成するバネ４１の伸縮をガイドする第３、第４ガイド溝Ｇｒ３、Ｇｒ４が形成されている。第３、第４ガイド溝Ｇｒ３、Ｇｒ４はそれぞれ、第１伸縮方向Ｄ２１、第２伸縮方向Ｄ２２に沿って長尺に形成されている。
【００５５】
側壁３２Ｂは、ケース本体３１の側壁３１Ｂの外側に重ねて配置されている。また、側壁３２Ｂには、複数の係止穴３２Ｂ１と、切欠３２Ｂ２と、が形成されている。係止穴３２Ｂ１は、ケース本体３１の側壁３１Ｂに形成された係止突起３１Ｂ７が挿入されて、係止される。切欠３２Ｂ２は、側壁３２Ｂの係止穴３２Ｂ１周辺が撓んで係止突起３１Ｂ７と係止できるように、側壁３２Ｂの下端から側壁３２Ｂの上端手前まで延在して形成されている。また、上壁３２Ａの周縁には、切欠３２Ａ３が形成され、側壁３２Ｂの上端が切欠３２Ａ３から露出している。この側壁部３２Ｂの上端に後述する基部１２１の係止突起１２１Ｅ（図５）が係止される。
【００５６】
取り外し部３２Ｃは、上壁３２Ａと同一平面に設けられ、ケース本体３１の引込スリットＳＬ１付近の上壁３２Ａから第２伸縮方向Ｄ２２の他方側Ｄ２２２に突出して設けられている。取り外し部３２Ｃは、コード７の端子Ｔ１からコード収納部６までのコード７を覆って保護する。緊急時は、取り外し部３２を押して、コード収容部６を突出方向Ｄ１１１にスライドさせると係止が外れて、コード収納部６を保持部１２から取り外すことができる。
【００５７】
コード抑え部３２Ｄは、上壁３２Ａと同一平面に設けられ、第１上壁部３２Ａ１から第２伸縮方向Ｄ２１の一方側Ｄ２２１側に向かって突出して設けられている。コード抑え部３２Ｄは、コード収納部６外に引き出されたコード７を抑える。
【００５８】
次に、保持部１２の基部１２１に対する上述した構成のコード収納部６の取り付け位置について、図６を参照して説明する。まず、基部１２１の構成について説明する。基部１２１は、底壁１２１Ａと、底壁１２１Ａの周縁から保持状態において背面側に立設する側壁１２１Ｂと、底壁１２１Ａ上に配置された電源部１２１Ｃ及び回動機構１２１Ｄと、を有している。
【００５９】
底壁１２１Ａは、矩形状に形成されている。側壁１２１Ｂは、第１〜第４側壁部１２１Ｂ１〜１２１Ｂ４などを有している。第１側壁部１２１Ｂ１は、図６の状態において、底壁１２１Ａの突出方向Ｄ１１１側（図４のステップＳ１３の保持状態において、底壁１２１Ａの鉛直方向上側）の端部から立設している。第２、第３側壁部１２１Ｂ２、１２１Ｂ３は、底壁１２１Ａの水平方向Ｄ３両側から立設している。第４側壁部１２１Ｂ４は、図６の状態において、底壁１２１Ａの没入方向Ｄ１１２側（図４のステップＳ１３の保持状態において、底壁１２１Ａの鉛直方向下側）の端部から立設している。
【００６０】
電源部１２１Ｃは、スライド部１１側の底壁１２１Ａ上に配置されている。電源部１２１Ｃには、ＦＰＣ２２４と接続される端子Ｔ２と、上記コード７と接続される端子Ｔ１と、が形成されている。内面基板２２２から引き出されたＦＰＣ２２４は、スライド部１１と保持部１２との隙間を通って電源端子Ｔ２に接続される。この電源端子Ｔ２から供給された電源が、端子Ｔ１から出力される。
【００６１】
回動機構１２１Ｄは、電源部１２１Ｃよりもスライド部１１から離れた側の底壁１２１Ａ上に配置されている。回動機構１２１Ｄは、チャッキング部１２２を図４のステップＳ１５に示す横置き状態から図４のステップＳ１６に示す縦置き状態に回動自在に保持するための機構である。上述したコード収納部６のケース３０の第１底壁部３１Ａ１は、これら電源部１２１Ｃ及び回動機構１２１Ｄよりもスライド部１１から離れた側の底壁１２１Ａ上に配置される。
【００６２】
また、上述したケース３０の第２底壁部３１Ａ２は、これら電源部１２１Ｃ及び回動機構１２１Ｄよりも水平方向Ｄ３の一方側（＝第１伸縮方向Ｄ２１の一方側Ｄ２１１）の底壁１２１Ａ上に配置される。詳しく説明すると、コード収納部６の第３側壁部３１Ｂ３は、基部１２１の第２側壁部１２１Ｂ２と平行に対向して配置される。コード収納部６の第５側壁部３１Ｂ５は、基部１２１の第３側壁部１２１Ｂ３と平行に配置される。コード収納部６の第２側壁部３１Ｂ２は、基部１２１の第１側壁部１２１Ｂ１と平行に配置される。コード収納部６の第２側壁部３１Ｂ２と基部１２１の第１側壁部１２１Ｂ１との間の隙間は、コード収納部６の第３側壁部３１Ｂ３と基部１２１の第２側壁部１２１Ｂ２との隙間、コード収納部６の第５側壁部３１Ｂ５と基部１２１の第３側壁部１２１Ｂ３との隙間よりも大きくなるように配置されている。これにより、この第２側壁部３１Ｂ２と第１側壁部１２１Ｂ１との間の隙間に、ケース本体３１外のコード７を収納できる。
【００６３】
上述したケース３０は、図５に示すように、上述した切欠３２Ａ３から露出した側壁３２Ｂの上端が、複数の係止突起１２１Ｅに係止されて取り付けられている。係止突起１２１Ｅは、図６に示すように、基部１２１の底壁１２１Ａから背面に向かって突出した突起本体１２１Ｅ１と、突起本体から突出方向Ｄ１１１に突出する係止爪１２１Ｅ２と、を有し、係止爪１２１Ｅ２がケース３０に係止している。複数の係止突起１２１Ｅの係止爪１２１Ｅ２は同じ向きに突出している。このため、ケース３０を突出方向Ｄ１１１に移動すると、係止が外れてケース３０を基部１２１から取り外すと共に、コード７の一端を端子Ｔ１から外すことができる。
【００６４】
次に、上述した構成のコード収納部６に対するコード７の収納について説明する。まず、端子Ｔ１に接続したコード７を引込スリットＳＬ１からケース本体３１内に引き込む。引込スリットＳＬ１から引き込まれたコード７は、第１伸縮方向Ｄ２１の他方側Ｄ２１２に向かって折り曲げられ、一対のコード固定壁３１Ｈに形成された固定スリットＳＬ２に挿入される。その後、コード７は、第１コード支持部４０１の滑車４３に掛けられ、第１伸縮方向Ｄ２１の一方側Ｄ２１１に向かうようにＵターンする。即ち、コード７は、第１コード支持部４０１の滑車４３が掛けられる部分の両側がバネ４１の第１伸縮方向Ｄ２１に沿うように滑車４３に掛けられる。
【００６５】
その後、第１伸縮方向Ｄ２１の一方側Ｄ２１１に向かうコード７は、第１バネ固定壁３１Ｄよりも第１伸縮方向Ｄ２１の一方側Ｄ２１１まで進んだ後、滑車５０に掛けられて、第２伸縮方向Ｄ２２の他方側Ｄ２２２に向かうように折り曲げられる。その後、コード７は、第２コード支持部４０２の滑車４３に掛けられ、第２伸縮方向Ｄ２２の一方側Ｄ２２１に向かうようにＵターンする。即ち、コード７は、第１コード支持部４０２の滑車４３が掛けられる部分の両側がバネ４１の第２伸縮方向Ｄ２２に沿うように滑車４３に掛けられる。
【００６６】
コード７は、引出口ＯＬからケース３０外に出される。ケース３０外に出ているコード７は、基部１２１の第１側壁部１２１Ｂ１とケース３０の第２側壁部３１Ｂ２との間に収納される。このとき、基部１２１の底壁３１Ａとカバー３２のコード抑え部３２Ｄとの間にコード７が挟まれるため、引出口ＯＬからケース３０外に出ているコード７が垂れ下がることなく、基部１２１の背面に収納される。
【００６７】
コード７を使用するときは、使用者が引出口ＯＬから出ているコード７を引っ張ると、第１コード支持部４０１、４０２のバネ４１が縮む。バネ４１が縮むと、第１コード支持部４０１の滑車４３が第１伸縮方向Ｄ２１の一方側Ｄ２１１に移動し、第２コード支持部４０２の滑車４３が第２伸縮方向Ｄ２２の一方側Ｄ２２１に移動する。これにより、図中点線で示すように、コード７の滑車４３に掛けられてＵターンする部分が、伸縮方向Ｄ２１、Ｄ２２の一方側Ｄ２１１、Ｄ２２１に移動するため、引込スリットＳＬ１から滑車５０までのコード７の長さ、滑車５０から引出口ＯＬまでのコード７の長さがそれぞれ短くなる。
【００６８】
即ち、ケース３０内に収納されるコード７が短くなり、ケース３０外に出るコード７が長くなる。これにより、図４のステップＳ１５、Ｓ１６に示すように、保持されているスマートフォン５に接続するのに十分な長さのコード７をケース３０から引き出すことができる。コード７は、保持部１２の背面の水平方向一方側の端部から引き出されて、スマートフォン５に接続される。
【００６９】
また、コード７をスマートフォン５から外すと、バネ４１の復元力によりバネ４１が元の長さに戻るため、第１コード支持部４０１の滑車４３が第１伸縮方向Ｄ２１の他方側Ｄ２１２に移動し、第２コード支持部４０２の滑車４３が第２伸縮方向Ｄ２２の他方側Ｄ２２２に移動する。これにより、図中実線で示すように、コード７の滑車４３に掛けられてＵターンする部分が、伸縮方向Ｄ２１、Ｄ２２の他方側Ｄ２１２、Ｄ２２２に移動して戻るため、コード７がケース３０内に引き込まれて収納される。
【００７０】
上述した実施例によれば、電子装置１の保持機構１０は、装置本体２０に突没スライド自在に支持されるスライド部１１と、スライド部１１に回転自在に支持されてスマートフォン５を保持する保持部１２と、を備え、保持部１２には、コード７を引出、引込自在に収納するコード収納部６が設けられている。これにより、電源供給や通信のためのコードを接続したい時にすぐに接続できる。また、意匠性を確保しやすい。また、電子装置１には、その背面基板２２１や内面基板２２２に電源が供給されている。このため、コード７に簡単に電源や通信信号を供給でき、スマートフォン５を保持する保持部１２にコード７を収納することができる。
【００７１】
また、上述した実施例によれば、保持部１２が、スマートフォン５の背面に配置されている。これにより、スマートフォン５の背面に配置された保持部１２からコード７を引き出すことができ、コード７をスマートフォン５に接続しやすい。
【００７２】
また、上述した実施例によれば、保持部１２の背面側にコード収納部６を設け、コード７が、保持部１２の背面から引き出されている。これにより、保持部１２の背面からコード７を引き出すことができ、コード７をスマートフォン５に接続しやすい。
【００７３】
また、上述した実施例によれば、保持部１２の背面において、保持部１２の水平方向（保持部１２の回転軸方向）の一方側の端部からコード７が引き出されている。これにより、スライド部１１と干渉せずにコード７を引き出すことができる。
【００７４】
また、上述した実施例によれば、保持部１２の基部１２１にコード収納部６が設けられている。これにより、コード収納部６がチャッキング部１２２と共に回動することがないので、コード収納部６の構成を簡単にできる。
【００７５】
また、上述した実施例によれば、コード収納部６のケース３０は、基部１２１の係止突起１２１Ｅにより係止され、ケース３０を突出方向Ｄ１１１に移動するだけで簡単に基部１２１から取り外すことができる。即ち、コード収納部６は、保持部１２に着脱自在に設けられている。これにより、コード収納部６を保持部１２から取り外すことにより、コード７を電源Ｔ１から切り離すことができる。
【００７６】
また、上述した実施例によれば、ケース３０が保持部１２に着脱自在に設けられている。これにより、簡単な構成でコード収納部６を保持部１２から着脱自在に設けることができる。
【００７７】
上述した実施例によれば、コード収納部６は、バネ４１と、滑車４３と、で構成されたコード支持部４０１、４０２によりコード７が掛けられている。これにより、簡単な構成でコード７を引き出した後、バネ４１の復元力により自動的に引き込むことができる。
【００７８】
なお、上述した実施例によれば、コード７は、保持部１２の水平方向一方側の端部から引き出されていたが、これに限ったものではない。例えば、コード７は、保持部１２のスライド部１１から離れた側の端部（＝図４のステップＳ１３に示す保持状態で保持部１２の鉛直方向上側の端部）からコード７が引き出されていてもよい。この場合も、スライド部１１に干渉せずにコード７を引き出すことができる。
【００７９】
また、上述した実施例によれば、基部１２１に対して回動自在なチャッキング部１２２にスマートフォン５を保持させていたが、これに限ったものではない。チャッキング部１２２を設けずに、基部１２１にスマートフォン５を保持させるようにしてもよい。
【００８０】
また、上述した実施例によれば、回動自在なチャッキング部１２２の背面に設けた基部１２１にコード収納部６を取り付けていたが、これに限ったものではない。チャッキング部１２２にコード収納部６を取り付けてもよい。
【００８１】
また、上述した実施例によれば、コード収納部６は、そのケース３０が保持部１２に着脱自在に設けられていたが、これに限ったものではない。コード収納部６は、例えば、基部１２１の底壁１２１Ａからバネ固定壁３１Ｄ、３１Ｅを立設させるなどして、ケース３０を備えていなくてもよいし、着脱自在でなくてもよい。
【００８２】
また、上述した実施例によれば、コード収納部６は、バネ４１と滑車４３を有するコード支持部４０１、４０２を有していたが、これに限ったものではない。コード収納部６にはコード７が収納できればよく、巻き取り式の収納部であってもよい。また、コード収納部６としては、コード７を使用していないとき、バネ４１の復元力によりコード収納部６に引き込まれる構造でなくてもよく、使用者がコード７をまとめて収納できるものであってもよい。
【００８３】
また、携帯機器は、スマートフォン５に限ったものではない。携帯機器は、使用者によって携帯できるものであればよく、タブレット端末やゲーム機器などであってもよい。
【００８４】
なお、本発明は上記実施形態に限定されるものではない。即ち、本発明の骨子を逸脱しない範囲で種々変形して実施することができる。
【符号の説明】
【００８５】
１  電子装置
５  スマートフォン（機器）
６  コード収納部
７  コード
１０  保持機構
１１  スライド部
１２  保持部
２０  装置本体（電子装置本体）
３０  ケース
４１  バネ（弾性部材）
４３  滑車
１２１  基部
１２２  チャッキング部（保持部本体）
【図１】
2018207450.tif 000003
【図２】
2018207450.tif 000004
【図３】
2018207450.tif 000005
【図４】
2018207450.tif 000006
【図５】
2018207450.tif 000007
【図６】
2018207450.tif 000008
【図７】
2018207450.tif 000009
【図８】
2018207450.tif 000010
【図９】
2018207450.tif 000011